(57)【要約】【課題】簡易な構成で、廃液を複数の成分に分離可能な廃液分離装置を提供すること。【解決手段】分離槽２には撹拌機２２が設けられているので、被処理液投入部２１から投入された被処理液を撹拌できる。そして、撹拌された後の被処理液を放置すれば、この被処理液を層状に分離できる。分離槽２には光源２３と覗き窓２４が設けられているので、光源２３で被処理液を照らしながら、覗き窓２４から被処理液の状態を確認できる。さらに、覗き窓２４から被処理液の状態を確認しながら、吸引手段２５を上下に移動させて被処理液を吸引することで、層状に分離した被処理液を精度よく層毎に分離して回収できる。また、分離槽２には沈殿物排出手段２６が設けられているので、吸引手段２５により回収できない沈殿物を回収できる。【選択図】図１
2014117637.tif 000002
【特許請求の範囲】
【請求項１】
分離槽を備え、
前記分離槽には、前記分離槽に被処理液を投入する被処理液投入部と、前記分離槽内の被処理液を撹拌する撹拌機と、前記分離槽内の被処理液を照らす光源と、前記分離槽内の状態を確認する覗き窓と、前記分離槽内を上下に移動可能であり、前記分離槽内の被処理液を吸引する吸引手段と、前記分離槽に沈殿した沈殿物を排出する沈殿物排出手段と、が設けられている
ことを特徴とする廃液分離装置。
【請求項２】
請求項１に記載の廃液分離装置を用いた廃液分離方法であって、
被処理液を前記被処理液投入部から前記分離槽に投入する工程と、
前記分離槽内の被処理液を撹拌する工程と、
撹拌された後の被処理液を放置して、この被処理液を前記分離槽内にて層状に分離させる工程と、
前記覗き窓から前記分離槽内の状態を確認しつつ、前記吸引手段を上下に移動させて、層状に分離した被処理液を層毎に分離して回収する工程と、
前記沈殿物排出手段を用いて、前記分離槽に沈殿した沈殿物を回収する工程と、
を備えることを特徴とする廃液分離方法。
【発明の詳細な説明】
【技術分野】
【０００１】
本発明は、廃液分離装置および廃液分離方法に関する。
【背景技術】
【０００２】
水銀、カドミウム、鉛などの重金属、石油、重油などの油、フッ素系化合物、塩素系化合物（ポリ塩化ビフェニル（ＰＣＢ）など）、ダイオキシンなどの環境有害物質、汚泥などの土壌分といった様々な化学物質を含む廃液を処理する場合には、その前処理として廃液を分離した上で、各種物質の性質に応じた処理を施されている。このように廃液を分離する方法としては、例えば、廃液に凝集剤などを添加して、固体と液体とを分離する方法などが提案されている（特許文献１）。
【先行技術文献】
【特許文献】
【０００３】
【特許文献１】特開２００７−１８５６０２号公報
【発明の概要】
【発明が解決しようとする課題】
【０００４】
しかしながら、特許文献１のような分離方法では、液体の分離（例えば、水と油との分離など）や、固体の分離（例えば、重金属とそれ以外の物質との分離など）を、後工程で別途に行うことが必要となるという問題があり、結果として設備のコストが高くなるという問題がある。
【０００５】
そこで、本発明は、簡易な構成で、廃液を複数の成分に分離可能な廃液分離装置、およびそれを用いた廃液分離方法を提供することを目的とする。
【課題を解決するための手段】
【０００６】
本発明の廃液分離装置は、分離槽を備え、前記分離槽には、前記分離槽に被処理液を投入する被処理液投入部と、前記分離槽内の被処理液を撹拌する撹拌機と、前記分離槽内の被処理液を照らす光源と、前記分離槽内の状態を確認する覗き窓と、前記分離槽内を上下に移動可能であり、前記分離槽内の被処理液を吸引する吸引手段と、前記分離槽に沈殿した沈殿物を排出する沈殿物排出手段と、が設けられていることを特徴とするものである。
【０００７】
この発明によれば、分離槽には被処理液を撹拌する撹拌機が設けられているので、被処理液投入部から投入された被処理液を撹拌できる。そして、撹拌された後の被処理液を放置すれば、この被処理液を分離槽内にて層状に分離できる。分離槽には分離槽内の被処理液を照らす光源と分離槽内の状態を確認する覗き窓が設けられているので、光源で被処理液を照らしながら、覗き窓から被処理液の状態を確認できる。さらに、分離槽には分離槽内を上下に移動可能な吸引手段が設けられているので、吸引手段を上下に移動させて所定位置で被処理液を吸引することで、層状に分離した被処理液を層毎に分離して回収できる。このとき、覗き窓から被処理液の状態を確認しながら、吸引手段を上下に移動できるため、層状に分離した被処理液を精度よく層毎に回収できる。また、分離槽には沈殿物排出手段が設けられているので、吸引手段により回収できない沈殿物を回収できる。以上のように、この発明によれば、簡易な構成で、廃液を複数の成分に分離できる。
【０００８】
本発明の廃液分離方法は、前記廃液分離装置を用いた廃液分離方法であって、被処理液を前記被処理液投入部から前記分離槽に投入する工程と、前記分離槽内の被処理液を撹拌する工程と、撹拌された後の被処理液を放置して、この被処理液を前記分離槽内にて層状に分離させる工程と、前記覗き窓から前記分離槽内の状態を確認しつつ、前記吸引手段を上下に移動させて、層状に分離した被処理液を層毎に分離して回収する工程と、前記沈殿物排出手段を用いて、前記分離槽に沈殿した沈殿物を回収する工程と、を備えること特徴とする方法である。
【０００９】
この発明によれば、前記のような簡易な構成の廃液分離装置を用いて、廃液を複数の成分に分離できる。
【図面の簡単な説明】
【００１０】
【図１】本発明の一実施形態に係る廃液分離装置を一部断面して示す正面図。
【図２】前記実施形態の廃液分離装置を示す側面であり、図１のII−II線断面図。
【発明を実施するための形態】
【００１１】
以下に、本発明の一実施形態を図面に基づいて説明する。
まず、廃液分離装置１について図１および図２に基づいて説明する。
また、実施形態では、特に明示しない限り、「上」、「下」、「左」、「右」といった方向を示す用語は、図１を基準として用いる。
【００１２】
（１）廃液分離装置１の構成
廃液分離装置１は、図１および図２に示すように、分離槽２を備えている。
分離槽２は、投入された被処理液を貯留可能に設けられている。この分離槽２の容量としては、特に限定されないが、廃液処理の効率と設備の簡易さとの両立の観点から、１ｍ３以上２０ｍ３以下であることが好ましく、３ｍ３以上１０ｍ３以下であることがより好ましい。この分離槽２により、被処理液を分離できる。
分離槽２には、被処理液投入部２１と、撹拌機２２と、光源２３と、覗き窓２４と、吸引手段２５と、沈殿物排出手段２６とが設けられている。
【００１３】
被処理液投入部２１は、分離槽２の左側の天井部に設けられており、下すぼまりの筒状となっている。この被処理液投入部２１には、ドラム缶が固定できるようになっていることが好ましい。この被処理液投入部２１から、被処理液を分離槽２に投入できる。
被処理液としては、廃液を挙げられるが、本発明では廃液を複数の成分に分離することを目的としているため、複数の成分を含む廃液が好ましい。このような廃液としては、例えば、水銀、カドミウム、鉛などの重金属、石油、重油などの油、フッ素系化合物、塩素系化合物（ポリ塩化ビフェニル（ＰＣＢ）など）、ダイオキシンなどの環境有害物質、汚泥などの土壌分などを含む廃液が挙げられる。
【００１４】
撹拌機２２は、分離槽２の左側の側壁部に設けられている。撹拌機２２の設置位置は、これに限定されない。しかし、被処理液投入部２１が分離槽２の左側の天井部に設けられていることから、被処理液投入部２１から投入された被処理液を撹拌しやすいという観点から、撹拌機２２も被処理液投入部２１と同様に分離槽２の左側に設けられていることが好ましい。撹拌機２２の羽の形状や大きさは、特に限定されず、適宜公知のもの必要に応じて使用できる。この撹拌機２２により、分離槽２内の被処理液を撹拌できる。
【００１５】
光源２３は、分離槽２の天井部の中央から僅かに右側に設けられている。光源２３の設置位置は、これに限定されない。しかし、覗き窓２４から被処理液の状態を確認する場合に、光源２３からの光が直接目に入らないようにするという観点から、正面から見て光源２３と覗き窓２４とが重ならないようにすることが好ましい。また、光源２３からの光が覗き窓２４まで届き易いという観点からは、光源２３と覗き窓２４との距離が近いことが好ましい。光源２３の種類としては、蛍光灯、白熱灯、ブラックライト、発光ダイオード（ＬＥＤ）、レーザーなどが挙げられる。これらの中でも、被処理液の分離状態の観察の観点から、ブラックライトが好ましい。この光源２３により、分離槽２内の被処理液を照らすことができる。
【００１６】
覗き窓２４は、分離槽２の正面から見て手前の壁部の右側に設けられている。覗き窓２４の設置位置は、これに限定されないが、覗き窓２４と被処理液投入部２１との距離が遠いことが好ましい。覗き窓２４の材質は、透明でかつ耐薬品性に優れたなものであればよく、特に限定されないが、ガラス、ポリアクリレート、ポリカーボネートなどが挙げられる。光源２３により、分離槽２内の被処理液を照らしながら、この覗き窓２４から、分離槽内の状態を確認できる。
【００１７】
吸引手段２５は、分離槽２の天井部の右側に設けられている。吸引手段２５は、図示しない移動手段（例えば、ハンドルやモーターにて駆動されるピニオンギヤと、これと噛合するラックなどとから構成される）を備えており、分離槽２内を上下に移動可能である。吸引手段２５の設置位置は、これに限定されない。しかし、層状に分離した被処理液を精度よく層毎に回収するという観点から、吸引手段２５と覗き窓２４との距離が近いことが好ましい。吸引手段２５としては、吸引ポンプなどが挙げられる。このときに、覗き窓２４から被処理液の状態を確認しながら、吸引手段２５を上下に移動できるため、層状に分離した被処理液を精度よく層毎に回収できる。
【００１８】
沈殿物排出手段２６は、分離槽２の右側の側壁部の下側に設けられている。また、分離槽２の沈殿物排出手段２６の設けられた部分（分離槽２の底部の右側）は、凹部が設けられている。この凹部には、分離槽２に沈殿した沈殿物が溜まりやすい。沈殿物排出手段２６の設置位置は、これに限定されないが、このように分離槽２の底部の右側に設けられた凹部の近傍に設けられることが好ましい。沈殿物排出手段２６としては、吸引ポンプ、掻き出しブラシ、掻き出しコンベアなどが挙げられる。この沈殿物排出手段２６により、分離槽２に沈殿した沈殿物を排出できる。
【００１９】
（２）廃液分離装置１を用いた廃液分離方法
次に、上記のような構成の廃液分離装置１を用いた廃液分離方法について説明する。
まず、被処理液を被処理液投入部２１から分離槽２に投入する（被処理液投入工程）。このときに、被処理液投入部２１にドラム缶が固定できるようになっていれば、ドラム缶に入った被処理液を、被処理液投入部２１から分離槽２に投入できる。
そして、分離槽内の被処理液を撹拌する（撹拌工程）。撹拌条件については特に限定されず、羽の回転速度、撹拌時間などを適宜設定できる。
【００２０】
その後、撹拌された後の被処理液を放置して、この被処理液を分離槽２内にて層状に分離させる（層分離工程）。なお、被処理液は、物質の比重などに応じて分離する。例えば、水よりも比重の軽い物質（例えば油など）は水の層よりも上に層を形成し、水よりも比重の重い物質やのその懸濁液（例えば泥水など）は水の層よりも下に層を形成し、重金属などは分離槽２の底部に沈殿する。ここで、放置時間は、特に限定されないが、分離の状態と作業性との両立の観点から、５分間以上５時間以下であることが好ましく、１０分間以上２時間以下であることがより好ましく、２０分間以上１時間以下であることが特に好ましい。
【００２１】
次いで、覗き窓２４から分離槽２内の状態を確認しつつ、吸引手段２５を上下に移動させて、層状に分離した被処理液のうち回収したい層に吸引手段２５を対応させ、被処理液を層毎に分離して回収する（分離回収工程）。このようにして、覗き窓２４から被処理液の状態を確認しながら、吸引手段２５を上下に移動できるため、層状に分離した被処理液を精度よく層毎に回収できる。
また、沈殿物排出手段２６を用いて、分離槽２に沈殿した沈殿物を回収する（沈殿物回収工程）。このようにして、吸引手段２５により回収できない沈殿物（例えば水銀、カドミウム、鉛などの重金属）を回収できる。
【００２２】
（３）実施形態の効果
上記のような構成の廃液分離装置１によれば、以下の効果を奏することができる。
本実施形態によれば、分離槽２には撹拌機２２が設けられているので、被処理液投入部２１から投入された被処理液を撹拌できる。そして、撹拌された後の被処理液を放置すれば、この被処理液を分離槽２内にて層状に分離できる。
【００２３】
分離槽２には光源２３と覗き窓２４が設けられているので、光源２３で被処理液を照らしながら、覗き窓２４から被処理液の状態を確認できる。
【００２４】
分離槽２には分離槽２内を上下に移動可能な吸引手段２５が設けられているので、吸引手段２５を上下に移動させて所定位置で被処理液を吸引することで、層状に分離した被処理液を層毎に回収できる。このとき、覗き窓２４から被処理液の状態を確認しながら、吸引手段２５を上下に移動できるため、層状に分離した被処理液を精度よく層毎に回収できる。
【００２５】
分離槽２には沈殿物排出手段２６が設けられているので、吸引手段２５により回収できない沈殿物を回収できる。以上のように、本実施形態によれば、簡易な構成で、廃液を複数の成分に分離できる。
【００２６】
（４）実施形態の変形
なお、本発明は前述の実施形態に限定されるものではなく、本発明の目的を達成できる範囲での変形、改良等は本発明に含まれるものである。
前記実施形態では、撹拌機２２を分離槽２の左側の側壁部に設けたが、これに限定されない。例えば、撹拌機２２を分離槽２の底部に設けてもよい。
前記実施形態では、覗き窓２４を一箇所に設けたが、これに限定されない。例えば、覗き窓２４を複数箇所に設けてもよい。この場合、覗き窓２４を吸引手段２５との距離が近い場所に設けることが好ましい。
前記実施形態では、分離槽２の底部は凹部を除いて水平であるが、これに限定されない。例えば、分離槽２の底部が、正面から見て右側に向かって低くなるように傾斜していてもよい。このようにすれば、沈殿物が沈殿物排出手段２６側に溜まりやすくなる。
【産業上の利用可能性】
【００２７】
本発明の廃液分離装置は、様々な化学物質を含む廃液を処理する場合の前処理装置として好適に用いることができる。本発明の廃液分離装置により、複数の成分に分離した上で、各種物質の性質に応じた処理を施すことで、廃液を効率よく処理できる。
【符号の説明】
【００２８】
１…廃液分離装置、２…分離槽、２１…被処理液投入部、２２…撹拌機、２３…光源、２４…覗き窓、２５…吸引手段、２６…沈殿物排出手段。
【図１】
2014117637.tif 000003
【図２】
2014117637.tif 000004